(57)【要約】【課題】簡易な構成で、現像カートリッジの種類を判別することができる画像形成システムを提供すること。【解決手段】  装置本体２に装着される複数種類のドラムカートリッジ１０と、複数種類の現像カートリッジ１１とを備える画像形成システムにおいて、現像ローラ１５の現像ローラ軸１５Ａを被覆する現像ローラ軸カラー５９Ａ、５９Ｂ、６３Ａ、６３Ｂを利用して、異なる種類のドラムカートリッジ１０に対する現像カートリッジ１１の装着を規制する。【選択図】なし【特許請求の範囲】
【請求項１】
少なくとも１種類の画像形成装置本体と、
現像剤を担持するように構成される現像剤担持体を有する複数種類の現像カートリッジと、
静電潜像を担持するように構成される像担持体と、前記複数種類の現像カートリッジから選択された現像カートリッジが装着されるように構成されるカートリッジ装着部とを有する複数種類の像担持体カートリッジと
を備え、
前記複数種類の現像カートリッジは、
前記現像剤担持体の端部を被覆する第１の被覆部材を有する第１の現像カートリッジと、
前記第１の被覆部材と異なる第２の被覆部材であって、前記現像剤担持体の端部を被覆する第２の被覆部材を有する第２の現像カートリッジと
を含み、
前記複数種類の像担持体カートリッジは、
前記第１の被覆部材と係合するように構成される第１の係合部を有する第１の像担持体カートリッジと、
前記第２の被覆部材と係合するように構成される第２の係合部を有する第２の像担持体カートリッジと
を含み、
前記第１の像担持体カートリッジは、前記第２の被覆部材と前記第１の係合部との係合を規制する第１規制部を備える
ことを特徴とする、画像形成システム。
【請求項２】
前記第１の被覆部材は、前記第１の現像カートリッジの現像剤担持体の回転軸を被覆し、
前記第２の被覆部材は、前記第２の現像カートリッジの現像剤担持体の回転軸を被覆する
ことを特徴とする、請求項１に記載の画像形成システム。
【請求項３】
前記第２の被覆部材は、
前記回転軸と間隔を隔てながら前記回転軸を囲む囲み部と、
前記囲み部から前記回転軸に向かって延び前記回転軸に接触する接触部と
を備える
ことを特徴とする、請求項２に記載の画像形成システム。
【請求項４】
前記接触部は、前記像担持体に対する前記現像剤担持体の接触方向と直交する方向から前記回転軸に接触する
ことを特徴とする、請求項３に記載の画像形成システム。
【請求項５】
前記第１の被覆部材は、前記第１の現像カートリッジの現像剤担持体に前記画像形成装置本体からの電力を供給し、
前記第２の被覆部材は、前記第２の現像カートリッジの現像剤担持体に前記画像形成装置本体からの電力を供給する
ことを特徴とする、請求項１〜４のいずれか一項に記載の画像形成システム。
【請求項６】
前記第１の被覆部材は、前記第１の係合部内に嵌まるように構成され、
前記第２の被覆部材は、前記第２の係合部内に嵌まるように構成され、
前記第２の被覆部材の外寸は、前記第１の係合部の内寸よりも大きい
ことを特徴とする、請求項１〜５のいずれか一項に記載の画像形成システム。
【請求項７】
前記画像形成装置本体は、複数種類あり、
前記複数種類の画像形成装置本体は、
前記第１の現像カートリッジが装着される第１の画像形成装置本体と、
前記第２の現像カートリッジが装着される第２の画像形成装置本体と
を含み、
前記第１の現像カートリッジは、前記第１の画像形成装置本体からの駆動力を受けるように構成される第１の受動部材を備え、
前記第２の現像カートリッジは、前記第２の画像形成装置本体からの駆動力を受けるように構成される第２の受動部材を備え、
前記第１の受動部材は、前記第２の画像形成装置本体からの駆動力の入力を規制する入力規制部を備える
ことを特徴とする、請求項１〜６のいずれか一項に記載の画像形成システム。
【請求項８】
前記第１の現像カートリッジは、外方へ突出する突出部を有し、
前記第２の像担持体カートリッジは、前記突出部に当接することにより前記第１の現像カートリッジの前記第２の像担持体カートリッジへの装着を規制するように構成される干渉部を有する
ことを特徴とする、請求項１〜７のいずれか一項に記載の画像形成システム。
【請求項９】
前記第１の現像カートリッジは、前記現像剤担持体の長手方向の両端部のそれぞれを被覆するように、前記第１の被覆部材を複数有し、
前記第２の現像カートリッジは、前記現像剤担持体の長手方向の両端部のそれぞれを被覆するように、前記第２の被覆部材を複数有し、
前記第１の像担持体カートリッジは、前記長手方向の一端部において、前記第１規制部を備え、
前記第２の像担持体カートリッジは、前記長手方向の他端部において、前記第１の被覆部材と前記第２の係合部との係合を規制する第２規制部を備える
ことを特徴とする、請求項１〜８のいずれか一項に記載の画像形成システム。
【発明の詳細な説明】
【技術分野】
【０００１】
本発明は、電子写真方式が採用される画像形成装置を構成する画像形成システムに関する。
【背景技術】
【０００２】
従来、画像形成装置本体と、画像形成装置本体に対して着脱可能な交換部品とを含む画像形成システムが知られている。
【０００３】
このような画像形成システムとして、画像形成装置本体と、画像形成装置本体に装着されるプロセスカートリッジとを備え、画像形成装置本体の開閉部材に凸部を設けるとともに、プロセスカートリッジに凸部がはまるくぼみ部を設けて、画像形成装置本体に適合するプロセスカートリッジの装着を許容するとともに、画像形成装置本体に適合しないプロセスカートリッジの装着を、凸部の干渉によって規制するレーザビームプリンタが知られている（たとえば、下記特許文献１参照。）。
【先行技術文献】
【特許文献】
【０００４】
【特許文献１】特開平１０−２２８２２２号公報
【発明の概要】
【発明が解決しようとする課題】
【０００５】
上記した特許文献１に記載のレーザビームプリンタのように、複数種類の交換部品の仕様を識別することが要求される場合がある。
【０００６】
そこで、本発明の目的は、簡易な構成で、現像カートリッジの種類を判別することができる画像形成システムを提供することにある。
【課題を解決するための手段】
【０００７】
（１）上記した目的を達成するために、本発明の画像形成システムは、少なくとも１種類の画像形成装置本体と、現像剤を担持するように構成される現像剤担持体を有する複数種類の現像カートリッジと、静電潜像を担持するように構成される像担持体と、複数種類の現像カートリッジから選択された現像カートリッジが装着されるように構成されるカートリッジ装着部とを有する複数種類の像担持体カートリッジとを備える。
【０００８】
複数種類の現像カートリッジは、現像剤担持体の端部を被覆する第１の被覆部材を有する第１の現像カートリッジと、第１の被覆部材と異なる第２の被覆部材であって、現像剤担持体の端部を被覆する第２の被覆部材を有する第２の現像カートリッジとを含む。
【０００９】
複数種類の像担持体カートリッジは、第１の被覆部材と係合するように構成される第１の係合部を有する第１の像担持体カートリッジと、第２の被覆部材と係合するように構成される第２の係合部を有する第２の像担持体カートリッジとを含む。
【００１０】
第１の像担持体カートリッジは、第２の被覆部材と第１の係合部との係合を規制する規制部を備える。
【００１１】
このような構成によれば、第２の現像カートリッジの現像剤担持体の端部を被覆する第２の被覆部材を利用して、第１の像担持体カートリッジに対する第２の現像カートリッジの装着を規制できる。
【００１２】
その結果、簡易な構成で、装着しようとしている現像カートリッジが第１の現像カートリッジではないことを、第１の像担持体カートリッジに装着するときに判別できる。
（２）第１の被覆部材は、第１の現像カートリッジの現像剤担持体の回転軸を被覆してもよい。第２の被覆部材は、第２の現像カートリッジの現像剤担持体の回転軸を被覆してもよい。
【００１３】
このような構成によれば、第１の被覆部材および第２の被覆部材を利用して、現像剤担持体の回転軸を被覆できる。
【００１４】
その結果、現像カートリッジの構成を簡略化することができる。
（３）第２の被覆部材は、回転軸と間隔を隔てながら回転軸を囲む囲み部と、囲み部から回転軸に向かって延び回転軸に接触する接触部とを備えてもよい。
【００１５】
このような構成によれば、回転軸に接触する部分を低減しながら、囲み部によって回転軸を被覆できる。
【００１６】
その結果、回転軸を円滑に回転させることができながら、回転軸を保護することができる。
（４）接触部は、像担持体に対する現像剤担持体の接触方向と直交する方向から回転軸に接触してもよい。
【００１７】
このような構成によれば、像担持体に対する現像剤担持体の接触方向に接触部が無いので、現像剤担持体を像担持体に対して確実に接触させることができる。
（５）第１の被覆部材は、第１の現像カートリッジの現像剤担持体に画像形成装置本体からの電力を供給してもよい。第２の被覆部材は、第２の現像カートリッジの現像剤担持体に画像形成装置本体からの電力を供給してもよい。
【００１８】
このような構成によれば、第１の被覆部材および第２の被覆部材を利用して、現像剤担持体に電力を供給できる。
【００１９】
その結果、現像カートリッジの構成を簡略化することができる。
（６）第１の被覆部材は、第１の係合部内に嵌まるように構成されてもよい。第２の被覆部材は、第２の係合部内に嵌まるように構成されてもよい。この場合、第１の被覆部材の外寸は、第２の係合部の内寸よりも大きくてもよい。
【００２０】
このような構成によれば、簡易な構成で、第１の像担持体カートリッジに対する第２の現像カートリッジを装着を確実に規制できる。
（７）画像形成装置本体は、複数種類あってもよい。複数種類の画像形成装置本体は、第１の現像カートリッジが装着される第１の画像形成装置本体と、第２の現像カートリッジが装着される第２の画像形成装置本体とを含んでもよい。
【００２１】
第１の現像カートリッジは、第１の画像形成装置本体からの駆動力を受けるように構成される第１の受動部材を備えてもよい。
【００２２】
第２の現像カートリッジは、第２の画像形成装置本体からの駆動力を受けるように構成される第２の受動部材を備えてもよい。
【００２３】
第１の受動部材は、第２の画像形成装置本体からの駆動力の入力を規制する入力規制部を備えてもよい。
【００２４】
このような構成によれば、第２の画像形成装置本体に、誤って、第１の現像カートリッジが装着されたとしても、第１の現像カートリッジには、第２の画像形成装置本体から駆動力が入力されない。
【００２５】
その結果、第２の画像形成装置本体内において、誤って、第１現像カートリッジが使用されることを防止できる。
（８）第１の現像カートリッジは、外方へ突出する突出部を有してもよい。第２の像担持体カートリッジは、突出部に当接することにより第１の現像カートリッジの第２の像担持体カートリッジへの装着を規制するように構成される干渉部を有してもよい。
【００２６】
このような構成によれば、突出部と干渉部との干渉により、第２の像担持体カートリッジに対する第１の現像カートリッジの装着を規制できる。
（９）第１の現像カートリッジは、現像剤担持体の長手方向の両端部のそれぞれを被覆するように、第１の被覆部材を複数有してもよい。第２の現像カートリッジは、現像剤担持体の長手方向の両端部のそれぞれを被覆するように、第２の被覆部材を複数有してもよい。第１の像担持体カートリッジは、長手方向の一端部において、第１規制部を備えてもよい。第２の像担持体カートリッジは、長手方向の他端部において、第１の被覆部材と第２の係合部との係合を規制する第２規制部を備えてもよい。
【００２７】
このような構成によれば、第１の現像カートリッジの現像剤担持体の端部を被覆する第１の被覆部材を利用して、第２の像担持体カートリッジに対する第１の現像カートリッジの装着を規制できる。
【００２８】
その結果、簡易な構成で、装着しようとしている現像カートリッジが第２の現像カートリッジではないことを、第２の像担持体カートリッジに装着するときに判別できる。
【発明の効果】
【００２９】
本発明の画像形成システムによれば、簡易な構成で、装着しようとしている現像カートリッジが第１の現像カートリッジではないことを、第１の像担持体カートリッジに装着するときに判別できる。
【図面の簡単な説明】
【００３０】
【図１】図１は、本発明の画像形成システムにより構成されるプリンタの中央断面図である。
【図２】図２Ａは、第１のプロセスカートリッジの左側面図である。図２Ｂは、第１のプロセスカートリッジの右側面図である。
【図３】図３は、図２Ａに示す第１ドラムカートリッジの前上方から見た斜視図である。
【図４】図４Ａは、図２Ａに示す第１現像カートリッジの左上方から見た斜視図である。図４Ｂは、図４Ａに示す第１現像カートリッジの右上方から見た斜視図である。
【図５】図５Ａは、図４Ａに示す第１カバーの左側面図である。図５Ｂは、図４Ａに示す第１カバーの右側面図である。
【図６】図６Ａは、図４Ｂに示す現像電極の右側面図である。図６Ｂは、図４Ｂに示す現像電極の左側面図である。
【図７】図７Ａは、第２のプロセスカートリッジの左側面図である。図７Ｂは、第２のプロセスカートリッジの右側面図である。
【図８】図８は、図７Ａに示す第２ドラムカートリッジの前上方から見た斜視図である。
【図９】図９Ａは、図７Ａに示す第１カバーの左側面図である。図９Ｂは、図７Ａに示す第１カバーの右側面図である。
【図１０】図１０Ａは、図７Ｂに示す現像電極の右側面図である。図１０Ｂは、図７Ｂに示す現像電極の左側面図である。
【図１１】図１１Ａは、第３のプロセスカートリッジの左側面図である。図１１Ｂは、第３のプロセスカートリッジの右側面図である。
【図１２】図１２は、図１１Ａに示す第３ドラムカートリッジの前上方から見た斜視図である。
【図１３】図１３Ａは、図１１Ａに示す第１カバーの左側面図である。図１３Ｂは、図１１Ａに示す第１カバーの右側面図である。
【図１４】図１４Ａは、第１ジグの右前方から見た斜視図である。図１４Ｂは、第２ジグの右前方から見た斜視図である。図１４Ｃは、第３ジグの右前方から見た斜視図である。
【発明を実施するための形態】
【００３１】
１．画像形成装置の全体構成
画像形成装置１は、電子写真方式のモノクロプリンタである。
【００３２】
なお、以下の説明において、画像形成装置１の方向に言及するときには、画像形成装置１を水平に載置した状態を上下の基準とする。すなわち、図１の紙面上方が上方であり、紙面下方が下方である。また、図１の紙面右方が前方であり、図１の紙面左方が後方である。また、画像形成装置１を前方から見たときを左右の基準とする。すなわち、図１の紙面手前が左方であり、紙面奥が右方である。左右方向は、長手方向の一例である。
【００３３】
画像形成装置１は、画像形成装置本体の一例としての装置本体２と、プロセスカートリッジ３と、スキャナユニット４と、定着ユニット５とを備えている。
【００３４】
装置本体２は、略ボックス形状を有している。装置本体２は、開口部６と、フロントカバー７と、給紙トレイ８と、排紙トレイ９とを有している。
【００３５】
開口部６は、装置本体２の前端部に配置されている。開口部６は、プロセスカートリッジ３の通過を許容するように、装置本体２の内外を前後方向に連通している。
【００３６】
フロントカバー７は、装置本体２の前端部に配置されている。フロントカバー７は、略平板形状を有している。フロントカバー７は、上下方向に延び、その下端部を支点として装置本体２の前壁に揺動可能に支持されている。フロントカバー７は、開口部６を開放または閉鎖するように構成されている。
【００３７】
給紙トレイ８は、装置本体２の底部に配置されている。給紙トレイ８は、用紙Ｐを収容するように構成されている。
【００３８】
排紙トレイ９は、装置本体２の上壁に配置されている。排紙トレイ９は、用紙Ｐが載置されるように、装置本体２の上面から下方へ凹んでいる。
【００３９】
プロセスカートリッジ３は、装置本体２の上下方向略中央に収容されている。プロセスカートリッジ３は、開口部６を介して装置本体２に対して装着または離脱するように構成されている。プロセスカートリッジ３は、像担持体カートリッジの一例としてのドラムカートリッジ１０と、現像カートリッジ１１とを備えている。
【００４０】
ドラムカートリッジ１０は、像担持体の一例としての感光ドラム１２と、スコロトロン型帯電器１３と、転写ローラ１４とを備えている。
【００４１】
感光ドラム１２は、ドラムカートリッジ１０の後端部に回転可能に支持されている。感光ドラム１２は、左右方向に延びる略円筒形状を有している。
【００４２】
スコロトロン型帯電器１３は、感光ドラム１２の後上方において、感光ドラム１２と間隔を隔てて配置されている。
【００４３】
転写ローラ１４は、感光ドラム１２の下方に配置されている。転写ローラ１４は、感光ドラム１２の下端部と接触している。
【００４４】
現像カートリッジ１１は、感光ドラム１２の前方において、ドラムカートリッジ１０に装着されている。現像カートリッジ１１は、現像剤担持体の一例としての現像ローラ１５と、供給ローラ１６と、層厚規制ブレード１７と、トナー収容部１８とを備えている。
【００４５】
現像ローラ１５は、現像カートリッジ１１の後端部に回転可能に支持されている。現像ローラ１５は、回転軸の一例としての現像ローラ軸１５Ａと、現像ローラ本体１５Ｂとを備えている。
【００４６】
現像ローラ軸１５Ａは、略円柱形状を有している。現像ローラ軸１５Ａは、左右方向に延びている。現像ローラ軸１５Ａは、金属からなる。
【００４７】
現像ローラ本体１５Ｂは、略円筒形状を有している。現像ローラ本体１５Ｂは、左右方向に延びている。現像ローラ本体１５Ｂは、導電性を有するゴムからなる。現像ローラ本体１５Ｂは、現像ローラ軸１５Ａの左右両端部を被覆せず、現像ローラ軸１５Ａの左右方向略中央を被覆している。現像ローラ本体１５Ｂは、感光ドラム１２の前端部に接触している。
【００４８】
供給ローラ１６は、現像ローラ１５の前下方に配置されている。供給ローラ１６は、現像カートリッジ１１に回転可能に支持されている。供給ローラ１６は、供給ローラ軸１６Ａと、供給ローラ本体１６Ｂとを備えている。
【００４９】
供給ローラ軸１６Ａは、略円柱形状を有している。供給ローラ軸１６Ａは、左右方向に延びている。供給ローラ軸１６Ａは、金属からなる。
【００５０】
供給ローラ本体１６Ｂは、略円筒形状を有している。供給ローラ本体１６Ｂは、左右方向に延びている。供給ローラ本体１６Ｂは、導電性を有するスポンジからなる。供給ローラ本体１６Ｂは、供給ローラ軸１６Ａの左右両端部を被覆せず、供給ローラ軸１６Ａの左右方向略中央を被覆している。供給ローラ本体１６Ｂは、現像ローラ本体１５Ｂの前下端部に接触している。
【００５１】
層厚規制ブレード１７は、現像ローラ１５の前上方に配置されている。層厚規制ブレード１７は、現像ローラ１５の前端部に接触している。
【００５２】
トナー収容部１８は、供給ローラ１６および層厚規制ブレード１７の前方に配置されている。トナー収容部１８は、現像剤の一例としてのトナーを収容するように構成されている。トナー収容部１８は、アジテータ１９を備えている。
【００５３】
アジテータ１９は、トナー収容部１８内に回転可能に支持されている。
【００５４】
スキャナユニット４は、プロセスカートリッジ３の上方に配置されている。スキャナユニット４は、感光ドラム１２に向けて画像データに基づくレーザービームを出射するように構成されている。
【００５５】
定着ユニット５は、プロセスカートリッジ３の後方に配置されている。定着ユニット５は、加熱ローラ２０と、加熱ローラ２０の後下端部に圧接される加圧ローラ２１とを備えている。
【００５６】
画像形成装置１が画像形成動作を開始すると、スコロトロン型帯電器１３は、感光ドラム１２の表面を一様に帯電する。スキャナユニット４は、感光ドラム１２の表面を露光する。これにより、画像データに基づく静電潜像が、感光ドラム１２の表面に形成される。
【００５７】
また、アジテータ１９は、トナー収容部１８内のトナーを撹拌して、供給ローラ１６に供給する。供給ローラ１６は、アジテータ１９によって供給されたトナーを現像ローラ１５に供給する。このとき、トナーは、現像ローラ１５と供給ローラ１６との間で正極性に摩擦帯電され、現像ローラ１５に担持される。層厚規制ブレード１７は、現像ローラ１５に担持されたトナーの層厚を一定厚さに規制する。
【００５８】
そして、現像ローラ１５に担持されたトナーは、感光ドラム１２表面の静電潜像に供給される。これにより、現像剤像の一例としてのトナー像が、感光ドラム１２の表面に担持される。
【００５９】
用紙Ｐは、給紙トレイ８から、各種ローラの回転により、所定のタイミングで１枚ずつ、感光ドラム１２と転写ローラ１４との間に給紙される。感光ドラム１２表面のトナー像は、用紙Ｐが感光ドラム１２と転写ローラ１４との間を通過するときに、用紙Ｐに転写される。
【００６０】
その後、用紙Ｐは、加熱ローラ２０と加圧ローラ２１との間を通過するときに加熱および加圧される。これにより、用紙Ｐ上のトナー像は、用紙Ｐに熱定着される。その後、用紙Ｐは、排紙トレイ９に排紙される。
２．プロセスカートリッジ
上記したドラムカートリッジ１０は、感光ドラム１２の帯電特性などに基づいて、複数種類のドラムカートリッジ１０が用意されている。
【００６１】
また、上記した現像カートリッジ１１は、現像ローラ１５の帯電特性や、トナー収容部１８内のトナーの量に応じて、複数種類の現像カートリッジ１１が用意されている。
【００６２】
そして、複数種類のドラムカートリッジ１０のそれぞれと、複数種類の現像カートリッジ１１のそれぞれとは、感光ドラム１２や現像ローラ１５の帯電特性などに基づいて、適正な組み合わせが設定されている。
【００６３】
上記した画像形成装置１は、これら複数種類のドラムカートリッジ１０および複数種類の現像カートリッジ１１のうち、適合する１種類のドラムカートリッジ１０および現像カートリッジ１１を選択的に装置本体２に装着することにより構成される。すなわち、これら複数種類のドラムカートリッジ１０および複数種類の現像カートリッジ１１は、装置本体２とともに画像形成システムを構成する。
（１）第１のプロセスカートリッジ
第１のプロセスカートリッジ３Ａは、図２Ａおよび図２Ｂに示すように、第１の像担持体カートリッジの一例としての第１ドラムカートリッジ１０Ａと、第１の現像カートリッジの一例としての第１現像カートリッジ１１Ａとを備える。
（１−１）第１ドラムカートリッジ
第１ドラムカートリッジ１０Ａは、図３に示すように、平面視略矩形の有底枠形状を有している。第１ドラムカートリッジ１０Ａは、１対の側壁３１と、下壁３２と、後壁３４と、前壁３３と、上壁３５を一体的に備えている。
【００６４】
１対の側壁３１のそれぞれは、第１ドラムカートリッジ１０Ａの左右方向両端部のそれぞれに配置されている。１対の側壁３１のそれぞれは、側面視略矩形の平板形状を有している。１対の側壁３１のそれぞれは、前後方向に延びている。左方の側壁３１Ｌは、カップリング受入部３６と、干渉部３８Ａとを有している。右方の側壁３１Ｒは、電極受入部３９を有している。
【００６５】
カップリング受入部３６は、左方の側壁３１Ｌの前後方向略中央に配置されている。カップリング受入部３６は、左方の側壁３１Ｌの上端部から下方へ凹み、上端部が解放された側面視略Ｕ字形状を有している。カップリング受入部３６は、第１ガイド部４４Ａと、突出壁４３とを有している。
【００６６】
第１ガイド部４４Ａは、カップリング受入部３６の下端部に配置されている。第１ガイド部４４Ａは、第１規制部および第１の係合部の一例としての左カラー受入部３７Ａと、第１ガイド面４６Ａとを有している。
【００６７】
左カラー受入部３７Ａは、カップリング受入部３６の後下端部に配置されている。左カラー受入部３７Ａは、後方へ凹み、前端部が解放された側面視略Ｕ字形状を有している。
【００６８】
第１ガイド面４６Ａは、左カラー受入部３７Ａの下端縁の前端部から連続して前方へ延びる略直線形状を有している。
【００６９】
突出壁４３は、第１ガイド面４６Ａの前端部から上方へ突出する側面視略矩形の平板形状を有している。
【００７０】
干渉部３８Ａは、左カラー受入部３７Ａおよび第１ガイド面４６Ａの下方に配置されている。干渉部３８Ａは、左方の側壁３１Ｌの右面から右方へ突出する略角柱形状を有している。干渉部３８Ａの後端部は、左カラー受入部３７Ａの下方に位置している。干渉部３８Ａの前端部は、第１ガイド面４６Ａの前後方向略中央の下方に位置している。
【００７１】
電極受入部３９は、右方の側壁３１Ｒの前後方向略中央に配置されている。電極受入部３９は、右方の側壁３１Ｒの上端部から下方へ凹み、上端部が解放された側面視略Ｕ字形状を有している。電極受入部３９は、第２ガイド部４５Ａと、段差部４８とを備えている。
【００７２】
第２ガイド部４５Ａは、電極受入部３９の下端部に配置されている。第２ガイド部４５Ａは、第１の係合部の一例としての右カラー受入部４０Ａと、第２ガイド面４７Ａとを有している。
【００７３】
右カラー受入部４０Ａは、電極受入部３９の後下端部に配置されている。右カラー受入部４０Ａは、後方へ凹み、前端部が解放された側面視略Ｕ字形状を有している。右カラー受入部４０Ａの上下方向内寸は、左カラー受入部３７Ａの上下方向内寸よりも長い。右カラー受入部４０Ａの後内面は、左右方向に投影したときに、左カラー受入部３７Ａの後内面と重なる。
【００７４】
第２ガイド面４７Ａは、右カラー受入部４０Ａの下端縁の前端部から連続して前方へ延びる略直線形状を有している。
【００７５】
段差部４８は、第２ガイド面４７Ａの前端部から連続して前上方へ屈曲しながら延びている。
【００７６】
下壁３２は、１対の側壁３１の下端部間に架設され、前後方向に延びている。下壁３２は、平面視略矩形の平板形状を有している。
【００７７】
後壁３４は、下壁３２の後端部から上方へ突出し、左右方向に延びる平板形状を有している。
【００７８】
前壁３３は、下壁３２の前端部から連続して上方へ延びている。前壁３３は、正面視略矩形の平板形状を有している。前壁３３の左右両端部は、１対の側壁３１の前端部に連続している。
【００７９】
上壁３５は、感光ドラム１２を覆うように、第１ドラムカートリッジ１０Ａの後端部の上方に配置されている。上壁３５は、スコロトロン型帯電器１３を支持している。
【００８０】
なお、第１ドラムカートリッジ１０Ａにおいて、上壁３５、１対の側壁３１、および、下壁３２の後端部によって構成される略ボックス形状の部分が、感光ドラム１２を支持するドラム支持部４１である。
【００８１】
また、上壁３５よりも前方において、上壁３５の前端部、１対の側壁３１および前壁３３によって画定される部分が、現像カートリッジ１１が装着されるカートリッジ装着部の一例としての現像カートリッジ装着部４２である。
（１−２）第１現像カートリッジ
第１現像カートリッジ１１Ａは、図４Ａに示すように、現像フレーム５１と、駆動部５２と、給電部５３とを備えている。
【００８２】
現像フレーム５１は、後端部が解放された側面視略矩形のボックス形状を有している。現像フレーム５１は、上記した現像ローラ１５、供給ローラ１６および層厚規制ブレード１７を支持し、上記したトナー収容部１８を有している。
【００８３】
駆動部５２は、現像フレーム５１の左端部に支持されている。駆動部５２は、第１の受動部材の一例としての現像カップリング５４Ａと、第１カバー５５Ａと、第２カバー５６とを有している。
【００８４】
現像カップリング５４Ａは、駆動部５２の前端部に配置されている。現像カップリング５４Ａは、左右方向に延びる略円柱形状を有している。現像カップリング５４Ａは、その右端部において図示しないギア歯を有しており、図示しないギア列を介して、現像ローラ軸１５Ａ、供給ローラ軸１６Ａおよびアジテータ１９に駆動伝達可能に接続されている。現像カップリング５４Ａは、カップリング部５７Ａを有している。
【００８５】
カップリング部５７Ａは、現像カップリング５４Ａの左端部に配置されている。カップリング部５７Ａは、左右方向に延びる略円筒形状を有している。カップリング部５７Ａは、装置本体２内の図示しない本体カップリングに駆動伝達可能に嵌まる。
【００８６】
第１カバー５５Ａは、図４Ａ、図５Ａおよび図５Ｂに示すように、駆動部５２の後端部に配置されている。第１カバー５５Ａは、左右方向に延び、左端部が閉鎖された略角筒形状を有している。第１カバー５５Ａは、現像カップリング５４Ａと、現像ローラ軸１５Ａおよび供給ローラ軸１６Ａとを接続する図示しないギア列を被覆している。第１カバー５５Ａは、カップリングカラー５８Ａと、第１の被覆部材の一例としての現像ローラ軸カラー５９Ａと、突出部の一例としてのリブ６０Ａとを備えている。
【００８７】
カップリングカラー５８Ａは、第１カバー５５Ａの中央に配置されている。カップリングカラー５８Ａは、左右方向に延びる略円筒形状を有している。カップリングカラー５８Ａの内径は、現像カップリング５４Ａのカップリング部５７Ａの外径とほぼ同じである。カップリングカラー５８Ａは、現像カップリング５４Ａのカップリング部５７Ａに嵌まっている。
【００８８】
現像ローラ軸カラー５９Ａは、カップリングカラー５８Ａの後下方に配置されている。現像ローラ軸カラー５９Ａは、左右方向に延び、左端部が閉鎖された略円筒形状を有している。現像ローラ軸カラー５９Ａの外径は、第１ドラムカートリッジ１０Ａの左カラー受入部３７Ａの上下方向内寸とほぼ同じである。現像ローラ軸カラー５９Ａの内径は、現像ローラ軸１５Ａの左端部の外径とほぼ同じである。現像ローラ軸カラー５９Ａは、現像ローラ軸１５Ａの左端部に嵌まっている。
【００８９】
リブ６０Ａは、第１カバー５５Ａの前端部において、カップリングカラー５８Ａの前端部の下方に配置されている。リブ６０Ａは、第１カバー５５Ａの左面から左方へ突出し、上下方向に延びる略平板形状を有している。
【００９０】
第２カバー５６は、第１カバー５５Ａの前方に配置されている。第２カバー５６は、左右方向に延び、左端部が閉鎖された略角筒形状を有している。第２カバー５６は、現像カップリング５４Ａとアジテータ１９とを接続する図示しないギア列を被覆している。
【００９１】
給電部５３は、図４Ｂに示すように、現像フレーム５１の右端部の後端部に支持されている。給電部５３は、現像電極６１Ａを備えている。
【００９２】
現像電極６１Ａは、図４Ｂ、図６Ａおよび図６Ｂに示すように、現像フレーム５１の後下端部に支持されている。現像電極６１Ａは、前後方向に延びる略角柱形状を有している。現像電極６１Ａは、装置本体２からの電力を現像ローラ軸１５Ａに供給する。現像電極６１Ａは、導電性樹脂からなる。現像電極６１Ａは、接触部６２と、第１の被覆部材の一例としての現像ローラ軸カラー６３Ａとを有している。
【００９３】
接触部６２は、現像電極６１Ａの前半分に配置されている。接触部６２は、左右方向に延び、右端部が閉鎖された略角柱形状を有している。接触部６２は、装置本体２内の図示しない電極に接触して電力を受ける。
【００９４】
現像ローラ軸カラー６３Ａは、現像電極６１Ａの後半分に配置されている。現像ローラ軸カラー６３Ａは左右方向に延びる略円筒形状を有している。現像ローラ軸カラー６３Ａは、現像ローラ軸１５Ａの右端部に嵌まっている。現像ローラ軸カラー６３Ａは、囲み部６４と、１対の当接部６５とを備えている。
【００９５】
囲み部６４は、現像ローラ軸カラー６３Ａの外形形状を構成し、左右方向に延びる略円筒形状を有している。囲み部６４の後端部６７は、上下方向に直線的に延びるように、切り欠かれている。囲み部６４の外径は、第１カバー５５Ａの現像ローラ軸カラー５９Ａの外径よりも大きく、第１ドラムカートリッジ１０Ａの右カラー受入部４０Ａの上下方向内寸とほぼ同じである。囲み部６４の内径は、現像ローラ軸１５Ａの外径よりも大きい。
【００９６】
１対の当接部６５のそれぞれは、囲み部６４の上方内周面および下方内周面のそれぞれから囲み部６４の径方向内方へ突出し、上下方向に延びる側面視略矩形状を有している。１対の当接部６５のそれぞれの上下方向間隔は、現像ローラ軸１５Ａの外径とほぼ同じである。１対の当接部６５のそれぞれは、現像ローラ軸１５Ａを上下方向両端部のそれぞれに接触する。１対の当接部６５のそれぞれは、接触部６２が受けた電力を現像ローラ軸１５Ａに供給する。
（２）第２のプロセスカートリッジ
第２のプロセスカートリッジ３Ｂは、図７Ａおよび図７Ｂに示すように、第２の像担持体カートリッジの一例としての第２ドラムカートリッジ１０Ｂと、第２の現像カートリッジの一例としての第２現像カートリッジ１１Ｂとを備える。
（２−１）第２ドラムカートリッジ
第２ドラムカートリッジ１０Ｂは、図８に示すように、第１ドラムカートリッジ１０Ａの第１ガイド部４４Ａと異なる第１ガイド部４４Ｂ、第１ドラムカートリッジ１０Ａの干渉部３８Ａと異なる干渉部３８Ｂ、および、第１ドラムカートリッジ１０Ａの第２ガイド部４５Ａと異なる第２ガイド部４５Ｂを備える以外は、第１ドラムカートリッジ１０Ａと同様に構成されている。
【００９７】
第１ガイド部４４Ａは、第２の係合部の一例としての左カラー受入部３７Ｂと、第１ガイド面４６Ｂとを備える。
【００９８】
左カラー受入部３７Ｂは、カップリング受入部３６の後下端部に配置されている。左カラー受入部３７Ｂは、後方へ凹み、前端部が解放された側面視略Ｕ字形状を有している。左カラー受入部３７Ｂの上下方向内寸は、第１ドラムカートリッジ１０Ａの左カラー受入部３７Ａの上下方向内寸よりも長い。
【００９９】
第１ガイド面４６Ｂは、左カラー受入部３７Ｂの下端縁の前端部から連続して前方へ延びる略直線形状を有している。
【０１００】
干渉部３８Ｂは、第１ガイド部４４Ｂの後半分の下方に配置されている。干渉部３８Ｂは、左方の側壁３１Ｌの右面から右方へ突出する略角柱形状を有している。干渉部３８Ｂは、第１ドラムカートリッジ１０Ａの干渉部３８Ａよりも前後方向において短い。干渉部３８Ｂの後端部は、第１ガイド面４６Ｂの前後方向略中央の下方に位置している。干渉部３８Ｂの前端部は、第１ガイド面４６Ｂの前端部の下方に位置している。
【０１０１】
第２ガイド部４５Ｂは、第１ドラムカートリッジ１０Ａの右カラー受入部４０Ａと異なる第２規制部および第２の係合部の一例としての右カラー受入部４０Ｂを備える以外は、第１ドラムカートリッジ１０Ａの第２ガイド部４５Ａと同様に構成されている。
【０１０２】
右カラー受入部４０Ｂは、電極受入部３９の後下端部に配置されている。右カラー受入部４０Ｂは、後方へ凹み、前端部が解放された側面視略Ｕ字形状を有している。右カラー受入部４０Ｂの上下方向内寸は、左カラー受入部３７Ｂの上下方向内寸と同じであり、第１ドラムカートリッジ１０Ａの右カラー受入部４０Ａの上下方向内寸よりも短い。右カラー受入部４０Ｂの後内面は、左右方向に投影したときに、左カラー受入部３７Ｂの後内面と重なる。
（２−２）第２現像カートリッジ
第２現像カートリッジ１１Ｂは、図７Ａおよび図７Ｂに示すように、第１現像カートリッジ１１Ａの現像カップリング５４Ａと異なる第２の受動部材の一例としての現像カップリング５４Ｂ、第１現像カートリッジ１１Ａの第１カバー５５Ａと異なる第１カバー５５Ｂ、および、第１現像カートリッジ１１Ａの現像電極６１Ａと異なる現像電極６１Ｂを備える以外は、第１現像カートリッジ１１Ａと同様に構成されている。
【０１０３】
現像カップリング５４Ｂは、カップリング部５７Ｂの形状が異なる以外は、第１現像カートリッジ１１Ａの現像カップリング５４Ａと同様に構成されている。
【０１０４】
カップリング部５７Ｂは、現像カップリング５４Ｂの左端部に配置されている。カップリング部５７Ｂは、左右方向に延びる略円筒形状を有している。カップリング部５７Ｂの外径は、第１現像カートリッジ１１Ａのカップリング部５７Ａの外径よりも小さい。
【０１０５】
第１カバー５５Ｂは、図７Ａ、図９Ａおよび図９Ｂに示すように、カップリングカラー５８Ｂの形状、第２の被覆部材の一例としての現像ローラ軸カラー５９Ｂの形状、および、リブ６０Ｂの位置が異なる以外は、第１現像カートリッジ１１Ａの第１カバー５５Ａと同様に構成されている。
【０１０６】
カップリングカラー５８Ｂは、第１カバー５５Ｂの中央に配置されている。カップリングカラー５８Ｂは、左右方向に延びる略円筒形状を有している。カップリングカラー５８Ｂの内径は、現像カップリング５４Ｂのカップリング部５７Ｂの外径とほぼ同じであり第１現像カートリッジ１１Ａのカップリングカラー５８Ａの内径よりも小さい。カップリングカラー５８Ｂは、現像カップリング５４Ｂのカップリング部５７Ｂに嵌まっている。
【０１０７】
現像ローラ軸カラー５９Ｂは、カップリングカラー５８Ｂの後下方に配置されている。現像ローラ軸カラー５９Ｂは、左右方向に延び、左端部が閉鎖された略円筒形状を有している。現像ローラ軸カラー５９Ｂは、現像ローラ軸１５Ａの左端部に嵌まっている。現像ローラ軸カラー５９Ｂは、囲み部４９と、複数の接触部の一例としての当接部５０とを有している。
【０１０８】
囲み部４９は、現像ローラ軸カラー５９Ｂの外形形状を構成し、左右方向に延びる略円筒形状を有している。囲み部４９の後端部６８は、上下方向に直線的に延びるように、切り欠かれている。囲み部４９の外径は、第１現像カートリッジ１１Ａの現像ローラ軸カラー５９Ａの外径よりも大きく、第２ドラムカートリッジ１０Ｂの左カラー受入部３７Ｂの上下方向内寸とほぼ同じである。囲み部４９の内径は、現像ローラ軸１５Ａの外径よりも大きい。
【０１０９】
複数の当接部５０のそれぞれは、囲み部４９の周方向に互いに間隔を隔てて配置されている。複数の当接部５０のそれぞれは、囲み部６４の内周面から囲み部６４の径方向内方へ突出し、側面視略矩形状を有している。複数の当接部６５のそれぞれの径方向内端縁を周方向に結ぶ仮想円の直径は、現像ローラ軸１５Ａの外径とほぼ同じである。
【０１１０】
リブ６０Ｂは、第１カバー５５Ｂの前後方向略中央において、カップリングカラー５８Ｂの前端部の下方に配置されている。リブ６０Ｂは、第１カバー５５Ｂの左面から左方へ突出し、上下方向に延びる略平板形状を有している。
【０１１１】
現像電極６１Ｂは、図７Ｂ、図１０Ａおよび図１０Ｂに示すように、第２の被覆部材の一例としての現像ローラ軸カラー６３Ｂの形状が異なる以外は、第１現像カートリッジ１１Ａの現像電極６１Ａと同様に構成されている。
【０１１２】
現像ローラ軸カラー６３Ｂは、現像電極６１Ｂの後半分に配置されている。現像ローラ軸カラー６３Ｂは、左右方向に延びる略円筒形状を有している。現像ローラ軸カラー６３Ｂの外径は、現像ローラ軸カラー５９Ｂの囲み部４９の外径とほぼ同じであり、第１現像カートリッジ１１Ａの囲み部６４の外径よりも小さい。また、現像ローラ軸カラー６３Ｂの外径は、第２ドラムカートリッジ１０Ｂの右カラー受入部４０Ａの上下方向内寸とほぼ同じである。現像ローラ軸カラー６３Ｂの内径は、現像ローラ軸１５Ａの右端部の外径とほぼ同じである。現像ローラ軸カラー６３Ｂは、現像ローラ軸１５Ａの右端部に嵌まっている。
（３）第３のプロセスカートリッジ
第３のプロセスカートリッジ３Ｃは、図１１Ａおよび図１１Ｂに示すように、第２の像担持体カートリッジの一例としての第３ドラムカートリッジ１０Ｃと、第２の現像カートリッジの一例としての第３現像カートリッジ１１Ｃとを備える。
（３−１）第３ドラムカートリッジ
第３ドラムカートリッジ１０Ｃは、図１２に示すように、第２ドラムカートリッジ１０Ｂの干渉部３８Ｂと異なる干渉部３８Ｃを備える以外は、第２ドラムカートリッジ１０Ｂと同様に構成されている。
【０１１３】
干渉部３８Ｃは、第１ガイド部４４Ｂの下方に配置されている。干渉部３８Ｃは、左方の側壁３１Ｌの右面から右方へ突出する略角柱形状を有している。干渉部３８Ｃは、第１ドラムカートリッジ１０Ａの干渉部３８Ａよりも前後方向において長い。干渉部３８Ｃの後端部は、左カラー受入部３７Ｂの下方に位置している。干渉部３８Ｂの前端部は、第１ガイド面４６Ｂの前端部の下方に位置している。
（３−２）第３の現像カートリッジ
第３現像カートリッジ１１Ｃは、図１１Ａおよび図１１Ｂに示すように、第１現像カートリッジ１１Ａの現像カップリング５４Ａと同じ現像カップリング５４Ａ、および、第２現像カートリッジ１１Ｂの第１カバー５５Ｂと異なる第１カバー５５Ｃを備える以外は、第２現像カートリッジ１１Ｂと同様に構成されている。
【０１１４】
第１カバー５５Ｃは、図１１Ａ、図１３Ａおよび図１３Ｂに示すように、第１現像カートリッジ１１Ａのカップリングカラー５８Ａと同じカップリングカラー５８Ａと、第２現像カートリッジ１１Ｂの現像ローラ軸カラー５９Ｂと同じ現像ローラ軸カラー５９Ｂとを備え、リブ６０Ｂを備えてない以外は、第２現像カートリッジ１１Ｂの第１カバー５５Ｂと同様に構成されている。
３．ギアカバーの識別
上記した複数種類の現像カートリッジ１１を組み立てるときには、複数種類の第１カバー５５のうちの適正な第１カバー５５を現像カートリッジ１１に組み付ける。ここで、誤った種類の第１カバー５５を現像カートリッジ１１に組み付けないように、第１カバー５５が適正な種類であるか否かを確認する必要がある。そこで、図１４Ａ、図１４Ｂおよび図１４Ｃに示すように、複数種類の第１カバー５５に対応した複数種類のジグ７１を用いて、第１カバー５５の確認作業の効率化を図る。
（１）ジグ
複数種類のジグ７１は、第１現像カートリッジ１１Ａの第１カバー５５Ａに対応する第１ジグ７１Ａと、第２現像カートリッジ１１Ｂの第１カバー５５Ｂに対応する第２ジグ７１Ｂと、第３現像カートリッジ１１Ｃの第１カバー５５Ｃに対応する第３ジグ７１Ｃとを含む。
【０１１５】
第１ジグ７１Ａは、図１４Ａに示すように、側面視略Ｌ字の平板形状を有している。第１ジグ７１Ａは、第１部分７５と、第２部分７６と、カラー受入部７２Ａと、干渉部７３Ａとを有している。
【０１１６】
第１部分７５は、前後方向に延びる略杆形状を有している。
【０１１７】
第２部分７６は、第１部分７５の前端部から上方へ延び、側面視略矩形の平板形状を有している。
【０１１８】
カラー受入部７２Ａは、第２部分７６の下端部に配置されている。カラー受入部７２Ａは、第２部分７６の前端縁から後方へ凹み、第１ドラムカートリッジ１０Ａの左カラー受入部３７Ａ（図３参照）と同じ形状を有している。
【０１１９】
干渉部７３Ａは、第１部分７５の前後方向略中央に配置されている。干渉部７３Ａは、第１部分７５の右面から右方へ突出し、第１ドラムカートリッジ１０Ａの干渉部３８Ａ（図３参照）と同じ形状を有している。干渉部７３Ａの後端部は、カラー受入部７２Ａの下方に位置している。
【０１２０】
第２ジグ７１Ｂは、図１４Ｂに示すように、第１ジグ７１Ａのカラー受入部７２Ａと異なるカラー受入部７２Ｂ、カップリング規制部７４、および、第１ジグ７１Ａの干渉部７３Ａと異なる干渉部７３Ｂを有している以外は、第１ジグ７１Ａと同様に構成されている。
【０１２１】
カラー受入部７２Ｂは、第２部分７６の下端部に配置されている。カラー受入部７２Ｂは、第２部分７６の前端縁から後方へ凹み、第２ドラムカートリッジ１０Ｂの左カラー受入部３７Ｂ（図８参照）と同じ形状を有している。
【０１２２】
カップリング規制部７４は、第２現像カートリッジ１１Ｂのカップリングカラー５８Ｂの下端部に当接するように、第１部分７５の前後方向略中央から上方へ延びる略角柱形状を有している。
【０１２３】
干渉部７３Ｂは、第１部分７５の前後方向略中央に配置されている。干渉部７３Ｂは、第１部分７５の右面から右方へ突出し、第２ドラムカートリッジ１０Ｂの干渉部３８Ｂ（図８参照）と同じ形状を有している。干渉部７３Ｂの後端部は、カップリング規制部７４の後端部の下方に位置している。
【０１２４】
第３ジグ７１Ｃは、図１４Ｃに示すように、カップリング規制部７４を有さず、第２ジグ７１Ｂの干渉部７３Ｂと異なる干渉部７３Ｃを有している以外は、第２ジグ７１Ｂと同様に構成されている。
【０１２５】
干渉部７３Ｃは、第１部分７５の前後方向略中央に配置されている。干渉部７３Ｃは、第１部分７５の右面から右方へ突出し、第３ドラムカートリッジ１０Ｃの干渉部３８Ｃ（図１２参照）と同じ形状を有している。干渉部７３Ｃの後端部は、カラー受入部７２Ｂの下方に位置している。
（２）識別方法
以下、第１カバー５５の種類を確認する作業について説明する。
【０１２６】
第１現像カートリッジ１１Ａを製造する製造ラインには、図１４Ａに示すように、第１ジグ７１Ａが設けられている。
【０１２７】
図５Ａおよび図１４Ａに示すように、作業者は、第１現像カートリッジ１１Ａに第１カバー５５Ａを組み付ける前に、第１カバー５５Ａを第１ジグ７１Ａに組み付ける。
【０１２８】
第１カバー５５Ａを第１ジグ７１Ａに組み付けるには、第１カバー５５Ａを第１ジグ７１Ａの右方に配置して、第１カバー５５Ａの現像ローラ軸カラー５９Ａを、第１ジグ７１Ａのカラー受入部７２Ａ内に嵌めるとともに、第１カバー５５Ａのカップリングカラー５８Ａの下端部を、第１ジグ７１Ａの第１部分７５の上面に当てる。
【０１２９】
これにより、作業者は、第１カバー５５が第１現像カートリッジ１１Ａ用の第１カバー５５Ａであることを確認する。
【０１３０】
ここで、図９Ａ、図１３Ａおよび図１４Ａに示すように、第２現像カートリッジ１１Ｂ用の第１カバー５５Ｂまたは第３現像カートリッジ１１Ｃ用の第１カバー５５Ｃが第１現像カートリッジ１１Ａを製造する製造ラインに混入していた場合など、作業者が第１現像カートリッジ１１Ａ用の第１カバー５５Ａ以外の第１カバー５５を第１ジグ７１Ａに組み付けようとする場合がある。
【０１３１】
このとき、第１カバー５５Ｂまたは第１カバー５５Ｃの現像ローラ軸カラー５９Ｂの外径が第１カバー５５Ａの現像ローラ軸カラー５９Ａ（図５Ａ参照）の外径よりも大きいので、現像ローラ軸カラー５９Ｂが、第１ジグ７１Ａのカラー受入部７２Ａに嵌まらない。
【０１３２】
これにより、作業者は、第１カバー５５が第１現像カートリッジ１１Ａ用の第１カバー５５Ａではないことに気付く。
【０１３３】
同様に、第２現像カートリッジ１１Ｂを製造する製造ラインには、図１４Ｂに示すように、第２ジグ７１Ｂが設けられている。
【０１３４】
図９Ａおよび図１４Ｂに示すように、作業者は、第２現像カートリッジ１１Ｂに第１カバー５５Ｂを組み付ける前に、第１カバー５５Ｂを第２ジグ７１Ｂに組み付ける。
【０１３５】
第１カバー５５Ｂを第２ジグ７１Ｂに組み付けるには、第１カバー５５Ｂを第２ジグ７１Ｂの右方に配置して、第１カバー５５Ｂの現像ローラ軸カラー５９Ｂを、第２ジグ７１Ｂのカラー受入部７２Ｂ内に嵌めるとともに、第１カバー５５Ｂのカップリングカラー５８Ｂの下端部を、第２ジグ７１Ｂのカップリング規制部７４の上面に当てる。
【０１３６】
これにより、作業者は、第１カバー５５が第２現像カートリッジ１１Ｂ用の第１カバー５５Ｂであることを確認する。
【０１３７】
ここで、図５Ａ、図１３Ａおよび図１４Ｂに示すように、作業者が第２現像カートリッジ１１Ｂ用の第１カバー５５Ｂ以外の第１カバー５５を第２ジグ７１Ｂに組み付けようとした場合、第１カバー５５Ａまたは第１カバー５５Ｃのカップリングカラー５８Ａの外径が第１カバー５５Ａのカップリングカラー５８Ｂ（図９Ａ）の外径よりも大きいので、カップリングカラー５８Ａがカップリング規制部７４に干渉して、現像ローラ軸カラー５９Ａ、５９Ｂが第２ジグ７１Ｂのカラー受入部７２Ｂに嵌まらない。
【０１３８】
これにより、作業者は、第１カバー５５が第２現像カートリッジ１１Ｂ用の第１カバー５５Ｂではないことに気付く。
【０１３９】
また、同様に、第３現像カートリッジ１１Ｃを製造する製造ラインには、図１４Ｃに示すように、第３ジグ７１Ｃが設けられている。
【０１４０】
図１３Ａおよび図１４Ｃに示すように、作業者は、第３現像カートリッジ１１Ｃに第１カバー５５Ｃを組み付ける前に、第１カバー５５Ｃを第３ジグ７１Ｃに組み付ける。
【０１４１】
第１カバー５５Ｃを第３ジグ７１Ｃに組み付けるには、第１カバー５５Ｃを第３ジグ７１Ｃの右方に配置して、第１カバー５５Ｃの現像ローラ軸カラー５９Ｂを、第３ジグ７１Ｃのカラー受入部７２Ｂ内に嵌めるとともに、第１カバー５５Ｃのカップリングカラー５８Ａの下端部を、第３ジグ７１Ｃの第１部分７５の上面に当てる。
【０１４２】
これにより、作業者は、第１カバー５５が第３現像カートリッジ１１Ｃ用の第１カバー５５Ｃであることを確認する。
【０１４３】
ここで、図５Ａ、図９Ａおよび図１４Ｃに示すように、作業者が第３現像カートリッジ１１Ｃ用の第１カバー５５Ｃ以外の第１カバー５５を第３ジグ７１Ｃに組み付けようとした場合、リブ６０Ａ、６０Ｂが干渉部７３Ｃに干渉して、現像ローラ軸カラー５９Ａ、５９Ｂが第３ジグ７１Ｃのカラー受入部７２Ｂに嵌まらない。
【０１４４】
これにより、作業者は、第１カバー５５が第３現像カートリッジ１１Ｃ用の第１カバー５５Ｃではないことに気付く。
４．ドラムカートリッジに対する現像カートリッジの装着
以下、ドラムカートリッジ１０に対する現像カートリッジ１１の装着作業について説明する。
【０１４５】
図２Ａおよび図２Ｂに示すように、作業者は、第１現像カートリッジ１１Ａを、現像ローラ軸カラー５９Ａを左カラー受入部３７Ａ内に嵌めるとともに、現像ローラ軸カラー６３Ａを右カラー受入部４０Ａ内に嵌めるように、第１ドラムカートリッジ１０Ａの現像カートリッジ装着部４２内に装着する。
【０１４６】
ここで、作業者が、第１現像カートリッジ１１Ａ以外の現像カートリッジ１１を第１ドラムカートリッジ１０Ａに組み付けようとする場合がある。
【０１４７】
このとき、図２Ａ、図７Ａおよび図１１Ａに示すように、第２現像カートリッジ１１Ｂまたは第３現像カートリッジ１１Ｃの現像ローラ軸カラー５９Ｂの外径が第１現像カートリッジ１１Ａの現像ローラ軸カラー５９Ａの外径よりも大きいので、現像ローラ軸カラー５９Ｂが、第１ドラムカートリッジ１０Ａの左カラー受入部３７Ａの前方端部と当接し、左カラー受入部３７Ａに嵌まらない。
【０１４８】
これにより、作業者は、現像カートリッジ１１が第１現像カートリッジ１１Ａではないことに気付く。
【０１４９】
同様に、作業者は、第２ドラムカートリッジ１０Ｂに第２現像カートリッジ１１Ｂを組み付けるときに、誤って、第２現像カートリッジ１１Ｂ以外の現像カートリッジ１１を第２ドラムカートリッジ１０Ｂに組み付けようとする場合がある。
【０１５０】
第２ドラムカートリッジ１０Ｂに第１現像カートリッジ１１Ａを組み付けようとしたときには、図２Ｂおよび図７Ｂに示すように、第１現像カートリッジ１１Ａの現像ローラ軸カラー６３Ａの外径が第２現像カートリッジ１１Ｂの現像ローラ軸カラー６３Ｂの外径よりも大きく、しかも、第１現像カートリッジ１１Ａのリブ６０Ａが第２ドラムカートリッジ１０Ｂの干渉部３８Ｂに干渉するので、現像ローラ軸カラー６３Ａが、第２ドラムカートリッジ１０Ｂの右カラー受入部４０Ｂの前方端部と当接し、右カラー受入部４０Ｂに嵌まらない。
【０１５１】
これにより、作業者は、現像カートリッジ１１が第２現像カートリッジ１１Ｂではないことに気付く。
【０１５２】
なお、第２ドラムカートリッジ１０Ｂは、第３現像カートリッジ１１Ｃが装着可能である。
【０１５３】
しかし、図７Ａおよび図１３Ａに示すように、第３現像カートリッジ１１Ｃのカップリング部５７Ａの外径が第２現像カートリッジ１１Ｂのカップリング部５７Ｂの外径よりも大きい。
【０１５４】
そのため、第３現像カートリッジ１１Ｃが装着された第２ドラムカートリッジ１０Ｂが装置本体２に装着されても、第３現像カートリッジ１１Ｃの現像カップリング５４Ａに、第２現像カートリッジ１１Ｂが装着される装置本体２の図示しない本体カップリングが係合しない。つまり、第３現像カートリッジ１１Ｃには、第２現像カートリッジ１１Ｂが装着される装置本体２から駆動力が入力されない。その結果、画像形成動作が実施されない。
【０１５５】
これにより、作業者は、現像カートリッジ１１が第２現像カートリッジ１１Ｂではないことに気付く。
【０１５６】
また、作業者は、第３ドラムカートリッジ１０Ｃに第３現像カートリッジ１１Ｃを組み付けるときに、誤って、第３現像カートリッジ１１Ｃ以外の現像カートリッジ１１を第３ドラムカートリッジ１０Ｃに組み付けようとする場合がある。
【０１５７】
第３ドラムカートリッジ１０Ｃに第１現像カートリッジ１１Ａを組み付けようとしたときには、図２Ｂおよび図１１Ｂに示すように、第１現像カートリッジ１１Ａの現像ローラ軸カラー６３Ａの外径が第３現像カートリッジ１１Ｃの現像ローラ軸カラー６３Ｂの外径よりも大きく、しかも、第１現像カートリッジ１１Ａのリブ６０Ａが第３ドラムカートリッジ１０Ｃの干渉部３８Ｃに干渉するので、現像ローラ軸カラー６３Ａが、第３ドラムカートリッジ１０Ｃの右カラー受入部４０Ｂの前方端部と当接し、右カラー受入部４０Ｂに嵌まらない。
【０１５８】
これにより、作業者は、現像カートリッジ１１が第３現像カートリッジ１１Ｃではないことに気付く。
【０１５９】
また、第３ドラムカートリッジ１０Ｃに第２現像カートリッジ１１Ｂを組み付けようとしたときには、図９Ａおよび図１２に示すように、第２現像カートリッジ１１Ｂのリブ６０Ｂが第３ドラムカートリッジ１０Ｃの干渉部３８Ｃに干渉するので、第２現像カートリッジ１１Ｂは、第３ドラムカートリッジ１０Ｃに装着されない。
【０１６０】
これにより、作業者は、現像カートリッジ１１が第３現像カートリッジ１１Ｃではないことに気付く。
５．作用効果
（１）この画像形成システムによれば、図２Ａ、図７Ａおよび図１１Ａに示すように、第２現像カートリッジ１１Ｂおよび第３現像カートリッジ１１Ｃの現像ローラ軸カラー５９Ｂを利用して、第１ドラムカートリッジ１０Ａに対する第２現像カートリッジ１１Ｂおよび第３現像カートリッジ１１Ｃの装着を規制できる。
【０１６１】
その結果、簡易な構成で、装着しようとしている現像カートリッジ１１が第１現像カートリッジ１１Ａではないことを、第１ドラムカートリッジ１０Ａに装着するときに判別できる。
（２）この画像形成システムによれば、図７Ａ、図７Ｂ、図１１Ａおよび図１１Ｂに示すように、第２現像カートリッジ１１Ｂおよび第３現像カートリッジ１１Ｃの現像ローラ軸カラー５９Ｂは、現像ローラ軸１５Ａと間隔を隔てながら現像ローラ軸１５Ａを囲む囲み部４９と、囲み部４９から現像ローラ軸１５Ａに向かって延び現像ローラ軸１５Ａに接触する当接部５０とを備えている。
【０１６２】
そのため、現像ローラ軸１５Ａに接触する部分を低減しながら、囲み部４９によって現像ローラ軸１５Ａを被覆できる。
【０１６３】
その結果、現像ローラ軸１５Ａを円滑に回転させることができながら、現像ローラ軸１５Ａを保護することができる。
（３）この画像形成システムによれば、図２Ａ、図７Ａおよび図１１Ａに示すように、現像ローラ軸カラー６３Ａおよび現像ローラ軸カラー６３Ｂを利用して、現像ローラ１５に電力を供給できる。
【０１６４】
その結果、現像カートリッジ１１の構成を簡略化することができる。
（４）この画像形成システムによれば、図２Ａ、図７Ａおよび図１１Ａに示すように、現像ローラ軸カラー５９Ｂの外寸は、左カラー受入部３７Ａの内寸よりも大きい。
【０１６５】
そのため、簡易な構成で、第１ドラムカートリッジ１０Ａに対する第２現像カートリッジ１１Ｂまたは第３現像カートリッジ１１Ｃの装着を確実に規制できる。
（５）この画像形成システムによれば、図５Ａ、図８および図１２に示すように、第１現像カートリッジ１１Ａのリブ６０Ａと、第２ドラムカートリッジ１０Ｂの干渉部３８Ｂまたは第３ドラムカートリッジ１０Ｃの干渉部３８Ｃとの干渉により、第２ドラムカートリッジ１０Ｂまたは第３ドラムカートリッジ１０Ｃに対する第１現像カートリッジ１１Ａの装着を規制できる。
（６）この画像形成システムによれば、図２Ｂ、図７Ｂおよび図１１Ｂに示すように、第１現像カートリッジ１１Ａの現像ローラ軸カラー６３Ａを利用して、第２ドラムカートリッジ１０Ｂまたは第３ドラムカートリッジ１０Ｃに対する第１現像カートリッジ１１Ａの装着を規制できる。
【０１６６】
その結果、簡易な構成で、装着しようとしている現像カートリッジ１１が第２現像カートリッジ１１Ｂまたは第３現像カートリッジ１１Ｃではないことを、第２ドラムカートリッジ１０Ｂまたは第３ドラムカートリッジ１０Ｃに装着するときに判別できる。
６．変形例
（１）第１の変形例
上記した実施形態では、第１ドラムカートリッジ１０Ａが第１の像担持体カートリッジの一例であり、第１現像カートリッジ１１Ａが第１の現像カートリッジの一例であり、第２ドラムカートリッジ１０Ｂまたは第３ドラムカートリッジ１０Ｃが第２の像担持体カートリッジの一例であり、第２現像カートリッジ１１Ｂまたは第３現像カートリッジ１１Ｃが第２の現像カートリッジの一例である。
【０１６７】
しかし、第１の変形例では、第２ドラムカートリッジ１０Ｂまたは第３ドラムカートリッジ１０Ｃが第１の像担持体カートリッジの一例であり、第２現像カートリッジ１１Ｂまたは第３現像カートリッジ１１Ｃが第１の現像カートリッジの一例であり、第１ドラムカートリッジ１０Ａが第２の像担持体カートリッジの一例であり、第１現像カートリッジ１１Ａが第２の現像カートリッジの一例であってもよい。
【０１６８】
この場合、第２ドラムカートリッジ１０Ｂまたは第３ドラムカートリッジ１０Ｃの右カラー受入部４０Ｂが第１規制部および第１の係合部の一例であり、第１現像カートリッジ１１Ａの現像ローラ軸カラー６３Ａが第２の被覆部材の一例である。
【０１６９】
この変形例によれば、図６Ｂに示すように、当接部６５は、上下方向から現像ローラ軸１５Ａに接触する。
【０１７０】
そのため、感光ドラム１２に対する現像ローラ１５の接触方向、すなわち現像ローラ軸１５Ａの後方に当接部６５が無いので、現像ローラ１５を感光ドラム１２に対して確実に接触させることができる。
（２）第２の変形例
第２の変形例では、第３ドラムカートリッジ１０Ｃが第１の像担持体カートリッジの一例であり、第３現像カートリッジ１１Ｃが第１の現像カートリッジの一例であり、第２ドラムカートリッジ１０Ｂが第２の像担持体カートリッジの一例であり、第２現像カートリッジ１１Ｂが第２の現像カートリッジの一例であってもよい。
【０１７１】
また、装置本体２は、第３ドラムカートリッジ１０Ｃおよび第３現像カートリッジ１１Ｃが装着される図示しない第１の装置本体２と、第２ドラムカートリッジ１０Ｂおよび第２現像カートリッジ１１Ｂが装着される図示しない第２の装置本体２とを含んでいてもよい。
【０１７２】
この場合、第３現像カートリッジ１１Ｃの現像カップリング５４Ａは、第１の受動部材の一例であり、第２現像カートリッジ１１Ｂの現像カップリング５４Ａは、第２の受動部材の一例である。
【０１７３】
ここで、図７Ａおよび図１３Ａに示し、上記した実施形態で述べたように、第３現像カートリッジ１１Ｃのカップリング部５７Ａの外径は、第２現像カートリッジ１１Ｂのカップリング部５７Ｂの外径よりも大きい。
【０１７４】
そのため、誤って第３現像カートリッジ１１Ｃが装着された第２ドラムカートリッジ１０Ｂが装置本体２に装着されても、第３現像カートリッジ１１Ｃの現像カップリング５４Ａに、第２の装置本体２の図示しない本体カップリングが係合せず、第３現像カートリッジ１１Ｃには、第２の装置本体２から駆動力が入力されない。その結果、画像形成動作が実施されない。なお、第３現像カートリッジ１１Ｃの現像カップリング５４Ａは、入力規制部の一例である。
【０１７５】
これにより、第２の装置本体２内において、誤って第３現像カートリッジ１１Ｃが使用されることを防止できる。
（３）その他の変形例
上記した実施形態では、現像剤担持体の一例として現像ローラ１５を挙げているが、現像剤担持体としては、例えば、磁気ローラやブラシローラを適用することもできる。
【０１７６】
上記した実施形態では、現像ローラ軸１５Ａの端部を被覆する現像ローラ軸カラー５９または現像ローラ軸カラー６３の外径を、ドラムカートリッジ１０の左カラー受入部３７または右カラー受入部４０の内径よりも大径に形成することにより、仕様の異なる現像カートリッジ１１がドラムカートリッジ１０に装着されることを防止しているが、現像ローラ軸１５Ａの端部そのものを用いて、上記した実施形態と同様に、仕様の異なる現像カートリッジ１１がドラムカートリッジ１０に装着されることを防止することもできる。
【０１７７】
また、現像ローラ軸カラー５９または現像ローラ軸カラー６３に代えて、現像ローラ軸１５Ａの軸線上にドラムカートリッジ１０の左カラー受入部３７または右カラー受入部４０に嵌まる部材を配置して、その部材を用いて、上記した実施形態と同様に、仕様の異なる現像カートリッジ１１がドラムカートリッジ１０に装着されることを防止することもできる。
【０１７８】
また、現像ローラ軸カラー５９または現像ローラ軸カラー６３に代えて、現像ローラ軸１５Ａの軸線と重ならないように現像フレーム５１から突出するボスなどを用いて、上記した実施形態と同様に、仕様の異なる現像カートリッジ１１がドラムカートリッジ１０に装着されることを防止することもできる。
【０１７９】
また、上記した実施形態において、ドラムカートリッジ１０Ａ、１０Ｂ、１０Ｃのそれぞれは、干渉部３８Ａ、３８Ｂ、３８Ｃを備えなくてもよい。
【符号の説明】
【０１８０】
２      装置本体
１０    ドラムカートリッジ
１０Ａ  第１ドラムカートリッジ
１０Ｂ  第２ドラムカートリッジ
１０Ｃ  第３ドラムカートリッジ
１１    現像カートリッジ
１１Ａ  第１現像カートリッジ
１１Ｂ  第２現像カートリッジ
１１Ｃ  第３現像カートリッジ
１２    感光ドラム
１５    現像ローラ
１５Ａ  現像ローラ軸
３７Ａ  左カラー受入部
３７Ｂ  左カラー受入部
３８Ａ  干渉部
３８Ｂ  干渉部
３８Ｃ  干渉部
４０Ａ  右カラー受入部
４０Ｂ  右カラー受入部
４２    現像カートリッジ装着部
４９    囲み部
５０    当接部
５４Ａ  現像カップリング
５４Ｂ  現像カップリング
５７Ａ  カップリング部
５９Ａ  現像ローラ軸カラー
５９Ｂ  現像ローラ軸カラー
６０Ａ  リブ
６０Ｂ  リブ
６３Ａ  現像ローラ軸カラー
６３Ｂ  現像ローラ軸カラー
６４    囲み部
６５    当接部
【図１】
2015099226.tif 000002
【図２】
2015099226.tif 000003
【図３】
2015099226.tif 000004
【図４】
2015099226.tif 000005
【図５】
2015099226.tif 000006
【図６】
2015099226.tif 000007
【図７】
2015099226.tif 000008
【図８】
2015099226.tif 000009
【図９】
2015099226.tif 000010
【図１０】
2015099226.tif 000011
【図１１】
2015099226.tif 000012
【図１２】
2015099226.tif 000013
【図１３】
2015099226.tif 000014
【図１４】
2015099226.tif 000015